(57)【特許請求の範囲】
【請求項１】
下メスと、針板上に突出して上下動する上メスとよりなる布切断機構を備えたオーバーロックミシンの上メスを囲うメスカバーを備えた押え金であって、メスカバー手前が開放されると共に、メスカバー手前の押え部分が欠除され、この欠除部分に手前に向かって上向きに反り、水平軸線の回りに回動可能に軸支される補助押えを配置してなる押え金。
【請求項２】
オーバーロックミシンは、ベッドフレーム前部が下メス及び上メスと、針板前部と共に開閉可能で、下ルーパへの糸通しが容易に行えるようにしたミシンである請求項１記載の押え金。
【請求項３】
補助押えは、バネにより布に圧着する方向に回動するように付勢される請求項１又は２記載の押え金。
【請求項４】
補助押えは所定量以上は回動しないようにストッパーが設けられる請求項３記載の押え金。
【発明の詳細な説明】
【０００１】
【発明が属する技術分野】
本発明は、縁かゞり縫いを行うオーバーロックミシンの押え金に関する。
【０００２】
【従来技術】
オーバーロックミシンは一般に、針落ちの手前に縫い目形成に先立って布縁を切断し切り揃える布切断機構を有している。図１は、この種布切断機構の一例を示すもので、ベッドフレーム１に位置調整可能に取着される取付台（図示省略）に針板２と面一をなして固着される下メス３と、主軸に連動する作動機構４のリンク５上端に取着され、針板上に突出して上下動することにより、下メス３と協働して布切断を行う釜メス状の上メス６とよりなっている。こうした下メスと上メスとを備えた布切断機構では、上メスが針板上に突出して上下動するため、布に手を添えて押え金下に送り込む作業時に誤って手指、ことに指先を傷付けるおそれがある。そこで安全対策のため近年、図２に示すように押え金８に上メスを覆うメスカバー９が設けられるようになった。
【０００３】
【発明が解決しようとする課題】
オーバーロックミシンで二重環縫いを行う場合、針板上に突出して上下動する上メスは邪魔になる。そこで二重環縫いを行うとき、或いは縫い代が少なく布切断を行う必要がないときには、上メスをダイヤル操作により図１のａを中心として反時計方向に回動させ、針板下に退避させているが、押え金に上メスを覆うメスカバーが設けられていると、上メスを回動させて退避させようとするとき、そのまゝ回動したのではメスカバーに当たって退避させることができない。押え金を上メス上方に持ち上げることができれば支障はないが、押え金上方の針棒の針株や上ルーパなどのため押え金を上メス上方に持ち上げられるようにすることはできない。そこで通常は上メスを下死点位置に下げた状態で押え金手前の上方に反る部分を持ち上げてからダイヤル操作により上メスを退避させていた。
【０００４】
オーバーロックミシンには特開昭６２−２０１１８１号に示されるように、ベッドフレーム前部を開閉できるようにして、下ルーパへの糸通し時にベッドフレーム前部を針板の前部と下メス及び上メスと共に開き、下ルーパへの糸通しが容易に行えるようにしたものが知られる。こうしたミシンにおいても、ベッドフレーム前部を開こうとするときには、上メスを下死点位置に下げ、押え金手前の上方に反る部分を持ち上げてから上メスを退避させておき、上メスがメスカバーに当たらないようにしておく必要がある。
【０００５】
上メスを退避させるための上述の操作は面倒である。上メスを覆うメスカバーを手前に広げ、上メスを回動するときにカバーに当たらないようにすれば、上メスの退避は容易に行えるが、この場合、図２に示す押え金ｂの部分がなくなり、ｂの部分による押えの機能がなくなるため、次のような不都合をもたらす。
すなわち、押え金のｂの部分の欠除により図３のＡの部分に押えがないと、縫製が進行し、押え金手前の布が残り少なくなると、シュータ１０に当たる切布ｗで布Ｗが押し込められて図３の矢印方向に回り込もうとし、その結果、切断が布縁に向かって斜めに行われ、縫い終わりが図４に示すように真直ぐにならず、斜めになってきれいな縫い終わり端が得られなくなる。こうした問題を解消するには、布に手を添え、布が図３の矢印方向に回り込もうとするのを阻止せねばならないが、こうした操作は容易でなく、かなりな熟練を要する。
【０００６】
本発明は、上記の問題を解消し、押えの機能を損なうことなく上メスの退避が簡易に行えるようなオーバーロックミシンのメスカバー付き押え金を提供することを目的とする。
【０００７】
【課題の解決手段】
第１の発明は、下メスと、針板上に突出して上下動する上メスとよりなる布切断機構を備えたオーバーロックミシンの上メスを囲うメスカバーを備えた押え金であって、メスカバー手前が開放されると共に、メスカバー手前の押え部分が欠除され、この欠除部分に手前に向かって上向きに反り、水平軸線の回りに回動可能に軸支される補助押えを配置したものである。
【０００８】
本発明の押え金によれば、補助押えが布に接触した状態で布送りを行うと、補助押えが布送り方向に引きづり込まれる方向に回動し、補助押え後部ないし後端が布に圧着して布押えを行い、布が針板上で図３の矢印方向に回り込もうとするのを阻止する。上メスを回動して退避させるときには、上メスの回動に伴い、補助押えが上メスで押上げられて跳ね上げられ、上メス通過後復動する。なおメスカバーは前面が開放されていても、補助押え手前の上向きに反る部分が上メスの前面をカバーするため安全上問題を生じることはない。
【０００９】
上記の発明は、ベッドフレーム前部が開閉できて下ルーパへの糸通しが容易に行えるようにしたオーバーロックミシンに適用することができるが、ベッドフレーム前部が開閉できるようになっていない通常タイプのオーバーロックミシンにも適用可能である。
第２の発明は、補助押えをバネにより布に圧着する方向に回動するように付勢してなるもので、この場合、好ましくは補助押えが所定量以上は回動しないようにストッパーが設けられる。
【００１０】
本発明の押え金によれば、上メスを退避させるときには、バネの作用に抗して補助押えが押し上げられ、上メス通過後はバネの作用により直ちに復動する。布押え時においては、バネの作用が加わって補助押えが一層布に食い込もうとし、布押えがより強く行われる。
【００１１】
【発明の実施の形態】
図５は、本発明に係わるオーバーロックミシンの押え金を示すもので、押え金本体１１は、図２に示すメスカバー９の前面を取り除いたメスカバー１９を有すると共に押え部ｂを取り除いた形状をなし、かつまたメスカバー側の端面に軸承部１２を突設してなるもので、押え部ｂに相当する反り部１３を備えた補助押え１４がピン１５にて軸承部１２に回転可能に軸支され、補助押え１４が押え金本体１１と共に押え金１６を構成している。図中、１７はピン１５の抜け止め用のリングである。
【００１２】
図６〜８は、ベッドフレーム前部２１が下メス２２及び上メス２３と針板の前部２４ａと共に開閉できるようにしたオーバーロックミシンに、上述の押え金１６を設けた例を示すもので、二重環縫いを行うとき或いは縫い代が少なく、布切断を要しないときには、従来のミシンと同様、図示省略したダイヤルの操作により上メス２３を図６の反時計方向に回動して倒し、ベッド内に退避させる（図８）。上メス２３を倒す際、補助押え１４が図７に示すように上メス２３により押し上げられて跳ね上げられ、上メス２３通過後復動する（図８参照）。
【００１３】
本実施形態によれば、上メス２３は単に回動させるだけで下死点に下げなくても退避させることができ、縫製時には布に当たる反り部後端が布送りに伴って布送り方向に引きづり込まれようとし、補助押え後端が布に食い込むようにして布押えを行う（図６、図８参照）。したがって図９に示すように図３のＡの部分に補助押え１４があるため、切断が布端に達したときに切布Ｗがシュータ１０に当たって布Ｗが押し込められ、布が回り込もうとしても回り込みが阻止され、その結果布が真直ぐに切断され、図１０に示すように布端まで真直ぐにきれいに縫合されるようになる。
【００１４】
下ルーパへの糸通しのため、図１１に示すようにベッドフレーム前部２１を手前側に開くときにも、ベッドフレーム前部２１と共に移動する上メス２３が補助押え１４を跳ね上げるため、従来のように押え金手前の上方に反る部分を持上げ、かつ上メス２３を下死点に下げておく必要はない。
【００１５】
【発明の効果】
本発明は以上のように構成され、次のような効果を奏する。
請求項１記載のオーバーロックミシンによれば、縫製時においては補助押えが布押えとしての機能を果たすため、布に手を添えて布をガイドしなくしても布が最後まで真直ぐに進み、縫い終わりが斜めに切断されるようなことがなく、また二重環縫いを行うときや縫い代が少なく布切断を要しないときに、上メスを回動させてベッド内に退避させるときには、上メスの回動により補助押えが跳ね上げられるため、上メスがどのような位置にあっても上メスを単に回動させるだけで簡易に退避させることができる。また上メスはメスカバーと、補助押え手前の上方に反る部分とで囲まれるため、上メスに触れることによる危険性はない。
【００１６】
請求項２記載のオーバーロックミシンのように下ルーパへの糸通しのため、ベッドフレーム前部を開くときには、上メスが補助押えを跳ね上げるため、ベッドフレーム前部を支障なく開くことができ、ベッドフレーム前部を開く動作のみを行えばよい。
請求項３記載の押え金によれば、補助押えを跳ね上げたのちの復動が確実に行え、また縫製時に補助押えはバネの作用が加わって布により強く食い込み、布押え機能を増加させる。
【００１７】
請求項４記載の押え金によれば、補助押えは布に必要以上に食い込むことがなく、布の厚みにもよるが、ほゞ一定の押え圧で布押えを行うことができる。
【図面の簡単な説明】
【００１８】
【図１】従来の押え金を備えたオーバーロックミシンの要部を示す図。
【００１９】
【図２】図１に示す従来の押え金の拡大斜視図。
【００２０】
【図３】Ａの部分に押えがないときに切断が布端に達したときの態様を示す図。
【００２１】
【図４】縫合後の布端の態様を示す図。
【００２２】
【図５】本発明に係わるオーバーロックミシンの押え金の分解斜視図。
【００２３】
【図６】図５に示す押え金を備えたオーバーロックミシンの要部を示す図。
【００２４】
【図７】上メスを回動して退避させるときの補助押えの態様を示す図。
【００２５】
【図８】上メスをベッド内に退避させたときの状態を示す図。
【００２６】
【図９】図５に示す押え金を備えたオーバーロックミシンの要部の平面図。
【００２７】
【図１０】本発明に係わる押え金を用いて縫合した後の布端を示す図。
【００２８】
【図１１】ベッドフレーム前部を開いたときの状態を示すオーバーロックミシンの要部の平面図。
【００２９】
【符号の説明】
１１・・押え金本体                  １２・・軸承部
１３・・反り部                      １４・・補助押え
１５・・ピン                        １６・・押え金
１７・・リング                      ２１・・ベッドフレーム前部
２２・・下メス                      ２３・・上メス
２４ａ・・針板前部
【図１】
0003605214.tif 000002
【図２】
0003605214.tif 000003
【図３】
0003605214.tif 000004
【図４】
0003605214.tif 000005
【図５】
0003605214.tif 000006
【図６】
0003605214.tif 000007
【図７】
0003605214.tif 000008
【図８】
0003605214.tif 000009
【図９】
0003605214.tif 000010
【図１０】
0003605214.tif 000011
【図１１】
0003605214.tif 000012